(57)【特許請求の範囲】
【請求項１】
ポーリング送信機とポーリング受信機との間で複数選択ポーリング通信が可能なデータ通信システムにおいて、
ポーリング送信機は、ＤＩＳ信号により、複数選択ポーリング送信機能の有無を宣言し、ポーリング受信機は、指定した情報に引き続き、さらに異なる情報のポーリング受信を要求するか否かを、ＤＴＣ信号によって、通知し、ポーリング送信機は、ＳＥＰ信号により指定された文章を送信後、上記ＤＴＣ信号により、さらに異なる情報のポーリング受信が要求されているか否かにより、送信する手順信号を変えるようにしたことを特徴とするデータ通信システム。
【請求項２】
請求項１において、
ポーリング送信機は、ＳＥＰ信号により指定された文章を送信後、ＤＴＣ信号により、指定された情報に引き続き、さらに異なる情報のポーリング受信を要求されている場合にはＥＯＳ信号を送信し、ＤＴＣ信号により、指定された情報に引き続き、さらに異なる情報のポーリング受信を要求されていない場合にはＥＯＰ信号を送信することを特徴とするデータ通信システム。
【請求項３】
請求項１または２において、
ポーリング送信機が送信するＥＯＳ信号に対し、ポーリング受信機は、ＥＣＭ通信モードでは、ＭＣＦ信号、ＰＰＲ信号、ＲＮＲ信号の送信が可能であり、Ｇ３通信モードでは、ＭＣＦ信号、ＲＴＮ信号、ＲＴＰ信号の送信が可能であり、
かつ、ＭＣＦ信号、ＲＴＮ信号、ＲＴＰ信号の送信後は６秒経過後にＤＴＣ信号の送信へ移行することを特徴とするデータ通信システム。
【請求項４】
複数選択ポーリング受信を行う機能を有するポーリング受信方法において、
ポーリング送信機からのＤＩＳ信号により、複数選択ポーリング送信機能の有無が宣言された後、ＤＴＣ信号により、指定した情報に引き続き、さらに異なる情報のポーリング受信を要求するか否かを通知することを特徴とするポーリング受信方法。
【請求項５】
複数選択ポーリング送信を行う機能を有するポーリング送信方法において、
ＤＩＳ信号により、複数選択ポーリング送信機能の有無を宣言し、ポーリング受信機からＤＴＣ信号により、指定した情報に引き続き、さらに異なる情報のポーリング受信を要求する通知を受けたか否かを判定し、ＳＥＰ信号により指定された文章を送信後、上記判定結果に応じて、送信する手順信号を変えることを特徴とするポーリング送信方法。
【請求項６】
ポーリング送信機とポーリング受信機との間で複数選択ポーリング通信が可能なデータ通信方法において、
ポーリング送信機で、ＤＩＳ信号により、複数選択ポーリング送信機能の有無を宣言し、ポーリング受信機で、ＤＴＣ信号により、指定した情報に引き続き、さらに異なる情報のポーリング受信を要求するか否かを通知し、ポーリング送信機で、ＳＥＰ信号により指定された文章を送信後、上記ＤＴＣ信号により、さらに異なる情報のポーリング受信が要求されているか否かにより、送信する手順信号を変えるようにしたことを特徴とするデータ通信方法。
【請求項７】
ポーリング送信機とポーリング受信機との間で複数選択ポーリング通信が可能なデータ通信を実行するためのプログラムを記録したコンピュータ読み取り可能な記憶媒体において、
ポーリング送信機で、ＤＩＳ信号により、複数選択ポーリング送信機能の有無を宣言するステップと、ポーリング受信機で、ＤＴＣ信号により、指定した情報に引き続き、さらに異なる情報のポーリング受信を要求するか否かを通知するステップと、ポーリング送信機で、ＳＥＰ信号により指定された文章を送信後、上記ＤＴＣ信号により、さらに異なる情報のポーリング受信が要求されているか否かにより、送信する手順信号を変えるステップとを含むプログラムを記録したコンピュータ読み取り可能な記憶媒体。
【請求項８】
複数選択ポーリング受信を行うポーリング受信機において、
相手機からＤＩＳ信号を受信するＤＩＳ信号受信手段と；
複数選択ポーリング送信機能の有無が宣言された後に、指定された情報に引き続き、さらに異なるポーリングを要求するか否かをＤＴＣ信号により通知する通知手段と；
を有することを特徴とするポーリング受信機。
【請求項９】
複数選択ポーリング受信を実行するためのコンピュータで読取可能なプログラムを記憶した記憶媒体において、
相手機からＤＩＳ信号を受信するＤＩＳ信号受信ステップと；
複数選択ポーリング送信機能の有無が宣言された後、指定された情報に引き続き、さらに異なるポーリングを要求するか否かをＤＴＣ信号により通知する通知ステップと；
を含むプログラムを記録したコンピュータ読み取り可能な記憶媒体。
【請求項１０】
複数選択ポーリング送信するポーリング送信機において、
ＤＩＳ信号によって、複数選択ポーリング送信機能の有無を宣言する宣言手段と；
ポーリング受信機からの指定された情報に引き続いて、ポーリング受信機が異なるポーリング受信を行うことをＤＴＣ信号により指示されたか否かを判定する判定手段と；
ＳＥＰ信号によって指定された文書を送信する送信手段と；
上記送信手段がＳＥＰ信号によって指定した文書を送信した後に、上記判定結果に応じて送信する手順信号を変える制御手段と；
を有することを特徴とするポーリング送信機。
【請求項１１】
複数選択ポーリング送信を実行するためのコンピュータで読取可能なプログラムを記憶した記憶媒体において、
ＤＩＳ信号によって、複数選択ポーリング送信機能の有無を宣言する宣言ステップと；
ポーリング受信機からの指定された情報に引き続いて、ポーリング受信機が異なるポーリング受信を行うことをＤＴＣ信号により指示されたか否かを判定する判定ステップと；
ＳＥＰ信号によって指定された文書を送信する送信ステップと；
上記送信ステップがＳＥＰ信号によって指定した文書を送信した後に、上記判定結果に応じて送信する手順信号を変える制御ステップと；
を含むプログラムを記録したコンピュータ読み取り可能な記憶媒体。
【発明の詳細な説明】
【０００１】
【発明の属する技術分野】
本発明は、特にポーリング送信機とポーリング受信機との間でマルチセレクティブポーリングが可能なファクシミリ等のデータ通信システムに関するものである。マルチセレクティブポーリングとは、１つの局から１つの局に対して複数の文章を順次要求するポーリングのことであり、１つの局から複数の局に対してポーリング動作を行うことをも意味するものではない。
【０００２】
【従来の技術】
現在、ＩＴＵ−Ｔにおいてマルチセレクティブポーリング通信が提案されている。図１２は、そのプロトコル例を示す説明図である。図において、ＤＩＳ信号にマルチセレクション機能の有無を示す信号（ｍｓビット）があり、これがマルチセレクション機能有りを示す１である場合、ポーリング受信機側で、マルチセレクティブポーリングを要求するときには、ＤＴＣ信号のｍｓビットを１にしていた。
【０００３】
一方、ポーリング送信機では、１つの文章を送信すると、ＥＯＳ信号を送信する。ここで、ポーリング受信機は次の文章を要求するのであれば、ＤＴＣ信号を送信し、次の文章を要求しないのであれば、ＭＣＦ信号を送信していた。
【０００４】
【発明が解決しようとする課題】
しかしながら、上述の例では、次にポーリング受信をする場合において、ポーリング受信機で文章を正しく受信したことをポーリング送信機に通知できない。また、ＲＴＮ信号、ＲＴＰ信号の送出ができないため、トレーング動作の選択が有効に行えない等の欠点があった。
【０００５】
また、ポーリング送信機がＥＯＳ信号を送信後、ＳＥＰ／ＤＴＣ信号の受信もするが、これは、従来のＴ．３０プロトコルで規定されておらず、通信の不具合が発生する可能性があるという欠点があった。
【０００６】
そこで本発明は、マルチセレクティブポーリング通信を有効に実行することができるデータ通信システムを提供することを目的とする。
【０００７】
【課題を解決するための手段】
本出願の請求項１にかかる発明は、ポーリング送信機とポーリング受信機との間でマルチポーリング通信が可能なデータ通信システムにおいて、ポーリング送信機は、ＤＩＳ信号により、マルチポーリング送信機能の有無を宣言し、ポーリング受信機は、ＤＴＣ信号により、直前に指定した情報に引き続き、さらに異なる情報のポーリング受信を要求するか否かを通知し、ポーリング送信機は、ＳＥＰ信号により指定された文章を送信後、前記ＤＴＣ信号により、さらに異なる情報のポーリング受信が要求されているか否かにより、送信する手順信号を変えるようにしたことを特徴とする。
【０００８】
また本出願の請求項２にかかる発明は、請求項１において、ポーリング送信機は、ＳＥＰ信号により指定された文章を送信後、ＤＴＣ信号により、直前に指定された情報に引き続き、さらに異なる情報のポーリング受信を要求されている場合にはＥＯＳ信号を送信し、ＤＴＣ信号により、直前に指定された情報に引き続き、さらに異なる情報のポーリング受信を要求されていない場合にはＥＯＰ信号を送信することを特徴とする。
【０００９】
また本出願の請求項３にかかる発明は、請求項１または２において、ポーリング送信機が送信するＥＯＳ信号に対し、ポーリング受信機は、ＥＣＭ通信モードでは、ＭＣＦ信号、ＰＰＲ信号、ＲＮＲ信号の送信が可能で、Ｇ３通信モードでは、ＭＣＦ信号、ＲＴＮ信号、ＲＴＰ信号の送信が可能であり、かつ、ＭＣＦ信号、ＲＴＮ信号、ＲＴＰ信号の送信後は６秒経過後にＤＴＣ信号の送信へ移行することを特徴とする。
【００１０】
また本出願の請求項４にかかる発明は、マルチポーリング受信を行う機能を有するポーリング受信機において、ポーリング送信機からのＤＩＳ信号により、マルチポーリング送信機能の有無が宣言された後、ＤＴＣ信号により、直前に指定した情報に引き続き、さらに異なる情報のポーリング受信を要求するか否かを通知することにより、ポーリング送信機において、ＳＥＰ信号により指定された文章を送信後、前記ＤＴＣ信号により、さらに異なる情報のポーリング受信が要求されているか否かにより、送信する手順信号を変えさせるようにしたことを特徴とする。
【００１１】
また本出願の請求項５にかかる発明は、マルチポーリング送信を行う機能を有するポーリング送信機において、ＤＩＳ信号により、マルチポーリング送信機能の有無を宣言し、ポーリング受信機からＤＴＣ信号により、直前に指定した情報に引き続き、さらに異なる情報のポーリング受信を要求するか否かの通知を受けることにより、ＳＥＰ信号により指定された文章を送信後、前記ＤＴＣ信号により、さらに異なる情報のポーリング受信が要求されているか否かにより、送信する手順信号を変えるようにしたことを特徴とする。
【００１２】
また本出願の請求項６にかかる発明は、ポーリング送信機とポーリング受信機との間でマルチポーリング通信が可能なデータ通信方法において、ポーリング送信機で、ＤＩＳ信号により、マルチポーリング送信機能の有無を宣言し、ポーリング受信機で、ＤＴＣ信号により、直前に指定した情報に引き続き、さらに異なる情報のポーリング受信を要求するか否かを通知し、ポーリング送信機で、ＳＥＰ信号により指定された文章を送信後、前記ＤＴＣ信号により、さらに異なる情報のポーリング受信が要求されているか否かにより、送信する手順信号を変えるようにしたことを特徴とする。
【００１３】
また本出願の請求項７にかかる発明は、ポーリング送信機とポーリング受信機との間でマルチポーリング通信が可能なデータ通信を実行するためのコンピュータで読取可能なプログラムを記憶した記憶媒体において、ポーリング送信機で、ＤＩＳ信号により、マルチポーリング送信機能の有無を宣言するステップと、ポーリング受信機で、ＤＴＣ信号により、直前に指定した情報に引き続き、さらに異なる情報のポーリング受信を要求するか否かを通知するステップと、ポーリング送信機で、ＳＥＰ信号により指定された文章を送信後、前記ＤＴＣ信号により、さらに異なる情報のポーリング受信が要求されているか否かにより、送信する手順信号を変えるステップとを含むプログラムを記憶したことを特徴とする。
【００１４】
以上のような本発明の構成により、マルチポーリングを要求する場合でも、１つ前にポーリングした情報が正しく受信できたか否かをポーリング受信機からポーリング送信機に通知でき、かつ、ＲＴＮ、ＲＴＰ、ＲＮＲ、ＰＰＲ信号の通信も可能になり、通信の確実性を増すことができる。
【００１５】
また、１つ前に指定した情報に引き続いて、次に異なる情報のポーリング受信を要求するか否かをポーリング受信機からポーリング送信機に通知でき、この通知に基づいて、ポーリング送信機側で制御を変えることにより、通信の確実性を増すことができ、便利な通信を提供できる。
【００１６】
【発明の実施の形態および実施例】
図１は、本発明の一実施例によるファクシミリ装置の構成を示すブロック図である。このファクシミリ装置は、ポーリング受信機とポーリング送信機の双方の機能を含むものである。本発明は、１つの局から１つの局に対して複数の文章を順次要求するポーリングであるマルチセレクティブポーリング（複数選択ポーリング）に関する発明である。以下、マルチセレクティブポーリングをマルチポーリングと略すが、このマルチポーリングは、１つの局から複数の局に対してポーリング動作を行うことをも意味するものではない。
【００１７】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１８】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００１９】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００２０】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２１】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２２】
メモリ回路１８は、読取りデータの生情報、あるいは、符号化した情報を格納したり、また、受信情報、あるいは、復号化した情報等を格納するために使用する。
【００２３】
操作部２２は、ワンタッチダイヤル、短縮ダイヤル、テンキー、＊・＃キー、スタートキー、サブアドレス信号入力キー、セットキー、マルチポーリング受信指定キー、その他ファンクションキーを有し、押下されたキー情報を信号線２２ａに出力するものである。
【００２４】
制御回路２０は、本実施例のファクシミリ装置において、マルチポーリング通信の制御を実行するものである。本実施例では、まず、ポーリング送信機がＤＩＳ信号により、マルチポーリング送信機能の有無を宣言し、ポーリング受信機がＤＴＣ信号により、今指定した情報に引き続き、さらに異なる情報のポーリング受信を要求するか否かをポーリング送信機に通知する。これに対して、ポーリング送信機は、ＳＥＰ信号により指定された文章を送信後、ＤＴＣ信号により、今指定された情報に引き続き、さらに異なる情報のポーリング受信を要求されているか否かにより、送信する手順信号を変えるように動作する。
【００２５】
具体的には、ポーリング送信機は、ＳＥＰ信号により指定された文章を送信後、ＤＴＣ信号により、今指定された情報に引き続き、さらに異なる情報のポーリング受信を要求されている場合には、ＥＯＳ信号を送信する。また、ＤＴＣ信号により、今指定された情報に引き続き、さらに異なる情報のポーリング受信を要求されていない場合には、ＥＯＰ信号を送信する。
【００２６】
これらのプロトコルにより、ポーリング受信機は、ポーリング送信機の送信するＥＯＳ信号に対して、ＥＣＭ通信モードでは、ＭＣＦ信号、ＰＰＲ信号、ＲＮＲ信号の送信が可能で、Ｇ３モードではＭＣＦ信号、ＲＴＮ信号、ＲＴＰ信号の送信が可能であり、かつ、ＭＣＦ信号、ＲＴＮ信号、ＲＴＰ信号の送信後は、６秒経過後にＤＴＣ信号の送信へ移行する。
【００２７】
図１１は、本実施例におけるマルチポーリングのプロトコル例を示す説明図である。
【００２８】
ポーリング受信機において、次情報のポーリング受信要求があれば、ＤＴＣ信号のｍｓビットを１とする。ポーリング送信機では、文章送信後、ＥＯＳ信号を送信し、これに対してポーリング受信機は、ＭＣＦ、ＲＮＲ、ＰＰＲ、ＲＴＮ、ＲＴＰ信号を送信できる。
【００２９】
また、ポーリング受信機において、次情報のポーリング受信要求がなければ、ＤＴＣ信号のｍｓビットを０とし、ポーリング送信機は、文章送信後、ＥＯＰ信号を送信し、終了処理に移行する。
【００３０】
なお、以上のようなプロトコルを制御するプログラムは、制御回路２０に設けられたＲＯＭ（図示せず）に予め格納しておいてもよいし、または、フロッピディスク、ハードディスク、あるいはＣＤ−ＲＯＭ等の外部記憶媒体に記憶したものを専用の読取装置（図示せず）によってファクシミリ装置内のメモリに取り込み、これを制御回路２０によって解読し、実行するようにしてもよい。
【００３１】
図２〜図１０は、本実施例における制御回路２０の制御の流れを示すフローチャートである。
【００３２】
図２において、Ｓ０で動作を開始し、Ｓ２では信号線２０ａに信号レベル「０」の信号を出力し、ＣＭＬをオフする。Ｓ４では信号線２０ｄに信号レベル「０」の信号を出力し、ＡＮＳａｍ信号を送信しない。
【００３３】
Ｓ６では、自動着信が選択されたか否かを判断し、自動着信が選択されるとＳ１２に進み、自動着信が選択されていないとＳ８に進む。
【００３４】
Ｓ８では、信号線２２ａの情報を入力し、ポーリング受信が選択されたか否かを判断し、ポーリング受信が選択されるとＳ１００に進み、ポーリング受信が選択されていないとＳ１０に進み、その他の処理を行って、Ｓ２に戻る。
【００３５】
Ｓ１２では、信号線２０ａに信号レベル「１」の信号を出力してＣＭＬをオンし、Ｓ１４では、タイマ１に３５秒をセットする。そして、Ｓ１６では、ＮＳＦ／ＣＳＩ／ＤＩＳ信号の送信を行う。ここで、ＤＩＳのｍｓビットを１として、マルチポーリング通信機能ありを宣言する。また、Ｓ１８ではタイマＴ４に３秒をセットする。
【００３６】
次にＳ２０では、ＤＣＳ信号を検出したか否かを判断し、ＤＣＳ信号を検出するとＳ２２に進み、残りの前手順を実行し、Ｓ２４で画信号の受信／記録、Ｓ２６で後手順を行い、Ｓ２に戻る。
【００３７】
また、Ｓ２０でＤＣＳ信号を検出していないと、Ｓ２８に進み、ＤＴＣ信号を検出したか否かを判断し、ＤＴＣ信号を検出するとＳ３４に進み、ＤＴＣ信号を検出していないとＳ３０に進む。
【００３８】
Ｓ３０では、タイマＴ４がタイムオーバーしたか否かを判断し、タイムオーバーするとＳ２に進み、タイムオーバーしていないとＳ１６に進む。
【００３９】
Ｓ３４では、ＤＴＣ信号のｍｓビットは１か、すなわち、次情報のポーリング受信要求があるか否かを判断し、否定応答であるとＳ７０に進む。また、肯定応答であるとＳ３６に進み、残りの前手順を実行し、Ｓ３８では、ＳＥＰ信号により指定されたメモリボックスに格納されている情報の送信を行う。
【００４０】
次にＳ４０では、このメモリボックスに次ページがあるか否かを判断し、次ページがあるとＳ４２に進み、中間手順を行い、Ｓ３８に進む。
【００４１】
また、Ｓ４０で次ページがないと、Ｓ４４に進み、ＥＣＭ通信であるか否かを判断し、ＥＣＭ通信であるとＳ４６に進み、ノーマルＧ３通信であるとＳ６２に進む。
【００４２】
Ｓ４６では、ＰＰＳ−ＥＯＳ信号を送信し、そのレスポンスを受信する。そして、Ｓ４８ではＰＰＲ信号を検出したか否かを判断し、ＰＰＴ信号を検出するとＳ３８に進み、ＰＰＲ信号を検出していないとＳ５０に進む。
Ｓ５０では、ＲＮＲ信号を検出したか否かを判断し、ＲＮＲ信号を検出するとＳ５２に進み、ＲＲ信号を送信してＳ４８に進む。また、ＲＮＲ信号を検出していないとＳ５４に進み、ＭＣＦ信号を検出したか否かを判断し、ＭＣＦ信号を検出していないとＳ２に進む。
【００４３】
また、Ｓ５４でＭＣＦ信号を検出するとＳ５６に進み、タイマＴ１に３５秒をセットし、Ｓ５８、Ｓ６０で、タイマＴ１がタイムオーバーする以内にＤＴＣ信号を検出したか否かを判断し、ＤＴＣ信号を検出するとＳ３４に進み、タイマＴ１がタイムオーバーするとＳ２に進む。
【００４４】
Ｓ６２ではＥＯＳ信号を送信し、レスポンスを受信する。Ｓ６４、Ｓ６６、Ｓ６８では、それぞれ順にＲＴＰ信号、ＲＴＮ信号、ＭＣＦ信号を受信したか否かを判断し、ＲＴＰ信号、あるいはＲＴＮ信号、あるいはＭＣＦ信号を検出するとＳ５６に進み、ＲＴＰ信号、ＲＴＮ信号、ＭＣＦ信号のいずれも検出しないとＳ２に進む。
【００４５】
Ｓ７０では、残りの前手順を実行し、Ｓ７２は、ＳＥＰ信号により指定されたメモリボックスに格納されている情報の送信を行う。Ｓ７４では、このメモリボックスに次ページがあるか否かを判断し、次ページがあるとＳ７６に進み、中間手順を実行してＳ７２に進み、次ページがないとＳ７８に進む。
【００４６】
Ｓ７８では、ＥＣＭ通信であるか否かを判断し、ＥＣＭ通信であるとＳ８０に進み、ノーマルＧ３通信であるとＳ９２に進む。
【００４７】
Ｓ８０では、ＰＰＳ−ＥＯＰ信号を送信し、そのレスポンスを受信する。Ｓ８２では、ＰＰＲ信号を検出したか否かを判断し、ＰＰＲ信号を検出するとＳ７２に進み、ＰＰＲ信号を検出していないとＳ８４に進む。
【００４８】
Ｓ８４では、ＲＮＲ信号を検出したか否かを判断し、ＲＮＲ信号を検出するとＳ８６に進み、ＲＲ信号を送信し、Ｓ８２に進む。また、Ｓ８４でＲＮＲ信号を検出していないとＳ８８に進む。
【００４９】
Ｓ８８では、ＭＣＦ信号を検出したか否かを判断し、ＭＣＦ信号を検出するとＳ９０に進み、ＤＣＮ信号を送信してＳ２に進み、Ｓ８８でＭＣＦ信号を検出していないとＳ２に進む。
【００５０】
Ｓ９２では、ＥＯＰ信号を送信し、そのレスポンスを受信する。Ｓ９４、Ｓ９６、Ｓ９８では、それぞれ順にＲＴＰ信号、ＲＴＮ信号、ＭＣＦ信号を受信したか否かを判断し、ＲＴＰ信号、あるいはＲＴＮ信号、あるいはＭＣＦ信号を検出するとＳ９０に進み、ＲＴＰ信号、ＲＴＮ信号、ＭＣＦ信号のいずれも検出しないとＳ２に進む。
【００５１】
Ｓ１００では、信号線２０ａに信号レベル「１」の信号を出力してＣＭＬをオンし、Ｓ１０２では、タイマＴ１に３５秒をセットする。
【００５２】
Ｓ１０４、Ｓ１０６では、タイマＴ１以内にＤＩＳ信号を検出したか否かを判断し、ＤＩＳ信号を検出するとＳ１０８に進み、タイマＴ１がタイムオーバーするとＳ２に進む。
【００５３】
Ｓ１０８では、ＤＩＳ信号より送信情報があるか否かを判断し、送信情報があるとＳ１１０に進み、送信情報がないとＳ２に進む。
【００５４】
Ｓ１１０では、ＤＩＳ信号よりマルチポーリング通信機能があるか、すなわち、ｍｓビットが１であるか否かを判断し、肯定応答であるとＳ１２６に進み、否定応答であるとＳ１１２に進む。
【００５５】
Ｓ１１２では、ＳＥＰ／ＮＳＣ／ＣＩＧ／ＤＴＣ信号の送信を行う。ここで、ＤＴＣ信号により、次情報のポーリング受信の要求なしをｍｓビットを０にすることにより宣言する。
【００５６】
次にＳ１１４では、指定したＳＥＰ信号のメモリボックスに格納されている情報のポーリング受信を行う。Ｓ１１６では、次ページがあるか否かを判断し、次ページがあるとＳ１１８に進み、中間手順を実行してＳ１１４に進み、次ページがないとＳ１２０に進む。
【００５７】
Ｓ１２０では、ＥＣＭ通信であれば、ＰＰＳ−ＥＯＰ信号の受信、ノーマルＧ３通信ならＥＯＰ信号の受信を行う。そして、Ｓ１２２ではＭＣＦ信号の送信、Ｓ１２４ではＤＣＮ信号の順次受信を行う。
【００５８】
Ｓ１２６では、次情報のポーリング受信要求をするか否かを判断し、肯定応答であるとＳ１２７に進み、否定応答であるとＳ１１２に進む。
【００５９】
Ｓ１２７では、ＳＥＰ／ＮＳＣ／ＣＩＧ／ＤＴＣ信号の送信を行う。ここで、ＤＴＣ信号のｍｓビットは１として、次情報のポーリング受信の要求ありを宣言する。そして、Ｓ１２８では、指定したＳＥＰ信号のメモリボックスに、格納されている情報のポーリング受信を行う。
【００６０】
次に、Ｓ１３０では、このメモリボックスに次ページがあるか否かを判断し、次ページがあるとＳ１３２に進み、中間手順を実行してＳ１２８に進み、次ページがないとＳ１３４に進む。
【００６１】
Ｓ１３４では、ＥＣＭ通信であるか否かを判断し、ＥＣＭ通信であるとＳ１３６に進み、ＰＰＳ−ＥＯＳ信号を受信し、ノーマルＧ３通信であるとＳ１３８に進み、ＥＯＳ信号を受信する。
【００６２】
この後、Ｓ１４０ではＭＣＦ信号の送信、Ｓ１４２では６秒のウェイトを行い、Ｓ１２６に進む。
【００６３】
なお、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得ることは勿論である。また、画像伝送に限らず、他のデータ通信について同様の手順を適用することも可能である。
【００６４】
【発明の効果】
以上説明したように、本発明によれば、複数選択ポーリングを要求する場合でも、１つ前にポーリングした情報が正しく受信できたか否かをポーリング受信機からポーリング送信機に通知でき、かつ、ＲＴＮ、ＲＴＰ、ＲＮＲ、ＰＰＲ信号の通信も可能になり、通信の確実性を増すことができる。
【００６５】
また、１つ前に指定した情報に引き続いて、次に異なる情報のポーリング受信を要求するか否かをポーリング受信機からポーリング送信機に通知でき、この通知に基づいて、ポーリング送信機側で制御を変えることにより、通信の確実性を増すことができ、便利な通信を提供できる。
【図面の簡単な説明】
【図１】本発明の一実施例を示すブロック図である。
【図２】上記実施例の動作を示すフローチャートである。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】上記実施例の動作を示すフローチャートである。
【図９】上記実施例の動作を示すフローチャートである。
【図１０】上記実施例の動作を示すフローチャートである。
【図１１】上記実施例におけるプロトコル例を示す説明図である。
【図１２】従来のプロトコル例を示す説明図である。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…操作部。
【図１】
0003610199.tif 000002
【図２】
0003610199.tif 000003
【図３】
0003610199.tif 000004
【図４】
0003610199.tif 000005
【図５】
0003610199.tif 000006
【図６】
0003610199.tif 000007
【図７】
0003610199.tif 000008
【図８】
0003610199.tif 000009
【図９】
0003610199.tif 000010
【図１０】
0003610199.tif 000011
【図１１】
0003610199.tif 000012
【図１２】
0003610199.tif 000013